(57)【要約】【課題】整流板の小型化により構造の簡略化を図ると共に、空気の吸い込み防止性能の向上を図った低水位水中ミキサを提供する。【解決手段】水中モータ２１の一端部にプロペラ２２が備えられると共にプロペラ２２の外周を囲繞してガイドリング２３が備えられ、ガイドリング２３およびモータハウジング２１ａの上部を覆って整流板２９が備えられている。整流板２９における液体流れ方向上流側がその下流側に対して低く配置された傾斜状に備えられている。整流板２９における液体流れ方向下流側端部と、ガイドリング２３における液体流れ方向上流側端部とがオーバーラップ状として、単一の締結ボルト３１により整流板２９が取付固定されている。【選択図】　　　　図１
2004081986.tif 000002
【特許請求の範囲】
【請求項１】
水中モータの一端部に横軸回りに回転自在なプロペラが備えられると共に、該プロペラの外周を囲繞してガイドリングが備えられ、ガイドリング上部およびモータハウジング上部を覆って整流板が備えられ、プロペラの回転駆動により液体をモータハウジング側からガイドリング内を通って噴流させる低水位水中ミキサにおいて、
前記整流板における液体流れ方向上流側がその下流側に対して低く配置された傾斜状に備えられたことを特徴とする低水位水中ミキサ。
【請求項２】
前記整流板における前記液体流れ方向下流側端部と、前記ガイドリングにおける液体流れ方向上流側端部とがオーバーラップ状として、整流板が取付固定されたことを特徴とする請求項１に記載の低水位水中ミキサ。
【請求項３】
前記整流板は、前記モータハウジングに単一のボルト体により取付固定されていることを特徴とする請求項１または請求項２に記載の低水位水中ミキサ。
【請求項４】
前記整流板に前記ボルト体が挿通されるガイド筒が備えられると共に、該ガイド筒の下端に、両側方に突出する平板部と平板部の幅方向両側縁より互いに拡開する下降傾斜状に延設された傾斜板部とからなるバネ板が備えられ、平板部の前記幅方向の長さが前記ボルト体が螺合締結される前記モータハウジングの取付座の横幅よりも短く、かつバネ板全体の幅方向の長さが前記取付座の横幅よりも長く形成され、取付座に対するボルト体の螺合締結によりバネ板の弾性変形を介して整流板が取付固定されることを特徴とする請求項３に記載の低水位水中ミキサ。
【発明の詳細な説明】
【０００１】
【発明の属する技術分野】
本発明は、下水処理工程における汚泥の沈降防止、浮遊スカムの破壊、池や湖水の停滞防止、食品産業の排水設備等での利用に適した低水位の液面下で駆動される低水位水中ミキサに関するものである。
【０００２】
【従来の技術】
従来、撹拌用の水中ミキサとしては、図５および図６に示される如く、水中モータ１の一端部に横軸回りに回転自在にプロペラ２が備えられると共に、プロペラ２の回転によって発生する噴流の径外方への分散を防止すべく、プロペラ２の外周を囲繞して噴流を案内するガイドリング３が、支持ブラケット４等を介して水中モータ１のモータハウジング１ａに取付固定されている。
【０００３】
また、水中モータ１の他端部には、適宜、立設された角パイプ等からなる昇降用ガイド支柱６に沿って摺動自在に嵌合されるスライドブラケット７が備えられている。
【０００４】
さらに、低水位で使用される低水位水中ミキサ１にあっては、図５ないし図７に示される如く、プロペラ２回転による噴流発生時における空気の吸い込み防止を目的として、ガイドリング３上部およびモータハウジング１ａ上部を覆って整流板９が備えられた構造とされている。
【０００５】
この整流板９は上部の天板部９ａと天板部９ａ両側より互いに漸次離隔して下向きに延設された側板部９ｂとからなり、ガイドリング３上部およびモータハウジング１ａ上部を囲繞すべく構成されている。
【０００６】
そして、整流板９は、モータハウジング１ａの上部に設けられた取付座１ｂおよび支持ブラケット４に備えられた取付ステー１０の両側に、それぞれボルト１１締結することによって着脱自在に取付固定された構造とされている。
【０００７】
なお、図中、１２は吊り下げチェーン連結用の連結具であり、矢印Ｐはプロペラ２回転時における水流を示し、矢印Ｐの大きさはその流量の概略を表している。
【０００８】
また、このような空気の吸い込み防止を図った整流板９をガイドリング３に一体に備えた構造のものもある。例えば、特開２０００−２３７５６４号公報や特開２０００−２４０５９９号公報に開示の如くである。
【０００９】
【発明が解決しようとする課題】
しかしながら、前記整流板９を着脱自在に備えた低水位水中ミキサによれば、整流板９におけるガイドリング３を覆う断面形状で、プロペラ２の軸心方向に沿ってモータハウジング１ａ上方にわたって延設された構造であり、プロペラ２の回転時には、モータハウジング１ａの周囲から略均等の流量がガイドリング３内に吸い込み案内され噴流される構造とされている。
【００１０】
従って、モータハウジング１ａ上面側と整流板９との相互間の間隙を通じて流れる水の流量も比較的多く、空気の吸い込みを有効に防止するためには、整流板９を水流の流れ方向上流側により長く延設した構造とする必要があり、整流板９の大型化を招いていた。
【００１１】
また、整流板９の大型化により、その取付支持のための強度も要求され、この従来構造にあっては３点で取付支持する構造とされており、構造の複雑化を招くという欠点もあった。
【００１２】
さらに、前記従来公報に開示のようにガイドリングを水中モータの後方部まで延設したいわゆる整流板を一体に備えた構造の低水位水中ミキサによれば、ガイドリング自体の構造の複雑化を招くと共に、ガイドリング自体の大型化を招くという欠点があった。
【００１３】
そこで、本発明は前記問題点に鑑み、整流板の小型化により構造の簡略化を図ると共に、空気の吸い込み防止性能の向上を図った低水位水中ミキサを提供することを目的とする。
【００１４】
【課題を解決するための手段】
上記目的を達成するための技術的手段は、水中モータの一端部に横軸回りに回転自在なプロペラが備えられると共に、該プロペラの外周を囲繞してガイドリングが備えられ、ガイドリング上部およびモータハウジング上部を覆って整流板が備えられ、プロペラの回転駆動により液体をモータハウジング側からガイドリング内を通って噴流させる低水位水中ミキサにおいて、前記整流板における液体流れ方向上流側がその下流側に対して低く配置された傾斜状に備えられた点にある。
【００１５】
また、前記整流板における前記液体流れ方向下流側端部と、前記ガイドリングにおける液体流れ方向上流側端部とがオーバーラップ状として、整流板が取付固定された構造としてもよい。
【００１６】
さらに、前記整流板は、前記モータハウジングに単一のボルト体により取付固定されている構造としてもよい。
【００１７】
また、前記整流板に前記ボルト体が挿通されるガイド筒が備えられると共に、該ガイド筒の下端に、両側方に突出する平板部と平板部の幅方向両側縁より互いに拡開する下降傾斜状に延設された傾斜板部とからなるバネ板が備えられ、平板部の前記幅方向の長さが前記ボルト体が螺合締結される前記モータハウジングの取付座の横幅よりも短く、かつバネ板全体の幅方向の長さが前記取付座の横幅よりも長く形成され、取付座に対するボルト体の螺合締結によりバネ板の弾性変形を介して整流板が取付固定される構造としてもよい。
【００１８】
【発明の実施の形態】
以下、本発明の実施形態を図面に基づいて説明すると、図１および図２に示される如く、低水位水中ミキサ２０は前述同様、水中モータ２１の一端部に横軸回りに回転自在にプロペラ２２が備えられると共に、プロペラ２２の回転によって発生する噴流の径外方への分散を防止すべく、プロペラ２２の外周を囲繞して噴流を案内するガイドリング２３が、支持ブラケット２４等を介して水中モータ２１のモータハウジング２１ａに取付固定されている。
【００１９】
また、水中モータ２１の他端部には、昇降用ガイド支柱２６に沿って摺動自在に嵌合されるスライドブラケット２７が備えられ、ガイドリング２３上部およびモータハウジング２１ａ上部を覆って整流板２９が備えられた構造とされている。
【００２０】
そして、この整流板２９も上部の天板部２９ａと天板部２９ａ両側より互いに漸次離隔して下向きに延設された一対の側板部２９ｂとから構成されている。
【００２１】
また、整流板２９は、その液体流れ方向下流側端部と、ガイドリング２３における液体流れ方向上流側端部とがオーバーラップ状として、ボルト体としての締結ボルト３１による螺合締結によりモータハウジング２１ａの上部に設けられた取付座２１ｂに取付固定されている。この際、整流板２９は、図１に示される如く、液体流れ方向上流側に位置する取付座２１ｂ側が、液体流れ方向下流側に位置するガイドリング２３側に対して低くなる傾斜状に配置された取付構造とされている。なお、この取付座２１ｂは、モータハウジング２１ａ上面に軸心方向に沿って延びる突条部の一端部に備えられた構造とされている。
【００２２】
さらに、整流板２９における天板部２９ａの締結ボルト３１挿通位置に対応して、図３および図４にも示される如く、締結ボルト３１が挿通される適宜長さのガイド筒３２が溶接等により整流板２９に備えられると共に、ガイド筒３２の下端に、両側方に突出する平板部３３ａと平板部３３ａの幅方向両側縁より互いに漸次拡開する下降傾斜状に延設された傾斜板部３３ｂとからなるバネ板３３が備えられ、平板部３３ａの幅方向の長さが締結ボルト３１が螺合締結されるモータハウジング２１ａの取付座２１ｂの横幅よりも短く、かつバネ板３３全体の幅方向の長さが取付座２１ｂの横幅よりも長く形成された構造とされている。
【００２３】
そして、締結ボルト３１が取付座２１ｂに螺合締結された状態で、図４に示される如く、バネ板３３が弾性変形した状態で整流板２９が取付固定される構造とされている。
【００２４】
この取付固定状態において、ガイド筒３２は、モータハウジング２１ａ周面と整流板２９内面とが適宜間隙を確保するスペーサ機能を有している。
【００２５】
なお、図中、３４は吊り下げチェーン連結用の連結具であり、矢印Ｐは前述同様、プロペラ２２回転時における水流を示し、矢印Ｐの大きさはその流量の概略を表している。
【００２６】
本実施形態は以上のように構成されており、整流板２９における液体流れ方向上流側の取付座２１ｂ側が、ガイドリング２３側に対して低く配置された傾斜状に取付固定されているため、空気を吸い込みやすい整流板２９における液体流れ方向上流側端部でのモータハウジング２１ａと整流板２９との相互間の流路が狭くなり、プロペラ２２回転時における流量が減少すると共に、この流路の水面からの距離もより深くなり、ここに空気の吸い込みが有効に防止でき、空気の吸い込み防止性能の向上が図れ、信頼性の向上が図れる。この際、整流板２９近くの流量が減少するため、整流板２９から離隔した下方の流量はその分増大する。
【００２７】
また、整流板２９における液体流れ方向上流側を低く配置することによって、空気吸い込み防止性能が有効に向上できるため、図５や図６に示される整流板９に比較して、図１や図２に示されるように、整流板２９の水中モータ２１の軸心方向長さや横幅方向長さをより短く構成でき、整流板２９の小型化が有効に図れる。従って、整流板２９の軽量化が図れ、取扱いが容易となり、整流板２９の取り付けが単一の締結ボルト３１によって容易に行え、従来構造のような取付ステー１０も不要となり、取付構造の簡略化が図れる利点もある。
【００２８】
さらに、整流板２９における液体流れ方向下流側端部と、ガイドリング２３における液体流れ方向上流側端部とがオーバーラップ状として、整流板２９を取付固定する構造であり、整流板２９の大きさも必要最小限にとどめており、この点からも整流板２９の小型化が有効に図れる。
【００２９】
また、整流板２９の取付構造において、ガイド筒３２下端に備えられたバネ板３３が弾性変形を介して整流板２９が取付座２１ｂに取り付けられる構造とされているため、整流板２９の取付状態において、整流板２９は取付座２１ｂに平板部３３ａ下面と両傾斜板部３３ｂとの３個所で支持された構造となり、両傾斜板部３３ｂと取付座２１ｂとの当接部が整流板２９の締結ボルト３１軸心回りの回り止め機能を発揮し、単一の締結ボルト３１による固定構造であっても、振動等による締結ボルト３１の不用意な緩みが有効に防止でき、この点からも製品の信頼性の向上が図れる。
【００３０】
なお、前記実施形態において、整流板２９における天板部２９ａの横幅が、液体流れ方向上流側から下流側に向けて略一定の幅を有する構造とされているが、さらに、整流板２９における天板部２９ａの横幅を、液体流れ方向下流側から上流側に向けて漸次幅狭となる構造としてもよい。
【００３１】
この場合、モータハウジング２１ａと整流板２９における液体流れ方向上流側上端との相互間の流路がより狭くなり、プロペラ２２回転時における流量がより一層減少し、ここに空気の吸い込みがより確実に防止でき、空気の吸い込み防止性能がより確実となり、信頼性がより向上する。
【００３２】
また、前記実施形態において、単一の締結ボルト３１により整流板２９を取付固定する構造を示しているが、他の取付構造であってもよい。
【００３３】
さらに、整流板２９の外形形状においても前記実施形態の形状に何ら限定されない。
【００３４】
【発明の効果】
以上のように、本発明の低水位水中ミキサによれば、整流板における液体流れ方向上流側がその下流側に対して低く配置された傾斜状に備えられた構造であり、空気を吸い込みやすい整流板における液体流れ方向上流側端部での流路が狭くなって流量が減少すると共に水面からの距離もより深くなり、ここに空気の吸い込み防止性能の向上が図れ、製品としての信頼性の向上が図れると共に、整流板の小型化が図れ、構造の簡略化が図れるという利点がある。
【００３５】
また、整流板における液体流れ方向下流側端部と、ガイドリングにおける液体流れ方向上流側端部とがオーバーラップ状として、整流板が取付固定された構造とすることによって、整流板の大きさも必要最小限にとどめることができ、この点からも整流板の小型化が有効に図れる利点がある。
【００３６】
さらに、整流板は、モータハウジングに単一のボルト体により取付固定されている構造とすれば、整流板の取付固定が容易に行えると共に、その取付構造の簡略化も図れる利点がある。
【００３７】
また、整流板にボルト体が挿通されるガイド筒が備えられると共に、該ガイド筒の下端に、両側方に突出する平板部と平板部の幅方向両側縁より互いに拡開する下降傾斜状に延設された傾斜板部とからなるバネ板が備えられ、平板部の幅方向の長さがボルト体が螺合締結されるモータハウジングの取付座の横幅よりも短く、かつバネ板全体の幅方向の長さが取付座の横幅よりも長く形成され、取付座に対するボルト体の螺合締結によりバネ板の弾性変形を介して整流板が取付固定される構造とすれば、単一のボルト体による固定構造であっても、ボルト体の不用意な緩みが有効に防止でき、この点からも製品の信頼性の向上が図れるという利点がある。
【図面の簡単な説明】
【図１】本発明の実施形態にかかる全体概略側面図である。
【図２】同平面図である。
【図３】整流板を取付固定する部分の説明図である。
【図４】整流板を取付固定する部分の説明図である。
【図５】従来例を示す全体概略側面図である。
【図６】同平面図である。
【図７】同整流板の概略斜視図である。
【符号の説明】
２０　低水位水中ミキサ
２１　水中モータ
２１ａ　モータハウジング
２１ｂ　取付座
２２　プロペラ
２３　ガイドリング
２９　整流板
３１　締結ボルト
３２　ガイド筒
３３　バネ板
３３ａ　平板部
３３ｂ　傾斜板部
【図１】
2004081986.tif 000003
【図２】
2004081986.tif 000004
【図３】
2004081986.tif 000005
【図４】
2004081986.tif 000006
【図５】
2004081986.tif 000007
【図６】
2004081986.tif 000008
【図７】
2004081986.tif 000009